(57)【特許請求の範囲】
【請求項１】
光源を内蔵した発光部と電池収納部を回動自在に嵌合し、前記光源に接続された正極及び負極の接続リードを有し、電池収納部には電池が前記発光部と電池収納部の回動中心とは離れた位置関係で収納配置され、
発光部と電池収納部の回動に応じ、前記正極及び負極の接続リードの少なくとも片方が、収納された電池と導通または不導通となる位置に配置された構成において、
接続リードと対面する電池の極平面の回動範囲に、発光部側から電池の極平面に向かって張り出した台状の平面を有し、接続リードと電池が不導通となったとき、電池の極平面の全面或いは一部と前記台状の平面が接触し、
前記台状の平面の高さは、少なくとも接続リードよりも高くし、前記台状の平面の接続リード側の終端は、接続リードに向かって高さを下げる傾斜面をなし、
発光部と電池収納部の回動に従って、電池が接続リード上と台状の平面上を往復するとき、電池が前記傾斜面を摺動する構成とし、前記傾斜面の形状は、傾斜面に向かい合う電池の一部外郭が一様に当たる曲面形状であることを特徴とする携帯電灯。
【発明の詳細な説明】
【技術分野】
【０００１】
本発明は、電池を電源とし、夜間もしくは暗所にて使用される携帯電灯に関するものである。
【背景技術】
【０００２】
近年、大震災の頻発などを背景に、災害への備えの重要性が高まっている。そのような中で、より安全性が高く、点灯が確実で、耐久性に優れ、しかも安価で気軽に備えが出来る携帯電灯への潜在的な需要が高まっている。これらの需要に対応すべく、発光部と電池収納部を回動させることでオン−オフのスイッチ機能とした携帯電灯が考案されている。簡素な構造でありながら、点灯は確実で、電池接点部の耐久性も考慮されたものである（例えば、特許文献１）。
【０００３】
しかし、このような構成の携帯電灯においては、本体の回動操作に応じて、電池接点周辺と対面する電池極平面の外装部と、機器側の接続リード周辺リブとの擦れがどうしても発生してしまう。
【０００４】
このような一般機器に使用する電池の構造としては、アルカリ乾電池に代表されるように、本体に金属缶と封口板を使用しそれらが正極・負極を構成し、その外側に電気的絶縁を兼ねて、熱収縮性のラベルフィルムを巻いたものが主流になっている。また、ニッケル水素電池などの充電式電池でも同様に、金属缶上にラベルフィルムを巻いて仕上げた構造にて、アルカリ乾電池と同サイズの製品が作られ、広く販売されている。
【０００５】
電池は、接触圧を確保するために、バネ荷重をもって発光部の接続リード方向に押し付けられており、本体の回動操作によって電池の極平面の部分は、接続リード周辺のリブとバネ荷重を受けながら摺動する。この状況でスイッチ操作を何回も繰り返した場合、電池のラベルフィルムが摩耗し破損してしまうことがある。なお、これらの電池では、正極および負極の極平面にラベルフィルムの終端部が存在し、従来の携帯電灯では、本体の回動によりフィルムの終端部分が、接続リード周辺のリブ終端に引っ掛かり、めくれ上がりやすかった。
【０００６】
また、電池の正極、負極の極平面は、同じ規格サイズの電池であっても、メーカーや銘柄によって形が様々である。電池極平面の中央から外輪にかけてほぼ平らな電池もあれば、中央寄りの部分が膨らんでいるもの、極平面の外輪が出っ張り、内側が凹んでいる電池もある。加えて、電池極平面へのラベルフィルムの掛かり幅が極端に狭かったり、ラベルフィルムの熱収縮状態のばらつきで電池極平面のラベルフィルムの終端が浮いていたりする。そのため、ある銘柄の電池に合わせて接続リード周辺のリブ形状を決めても、電池の銘柄が別のもの変わるとリブが電池を安定した状態に保てなかったり、リブが回動時に電池に引っ掛かり操作上違和感が生じたり、ラベルフィルムの痛みが局所的に早く生じたりする場合があった。
【０００７】
特に、繰り返して使用する充電式電池の場合、使うたびに電池の外観を損なうだけでなく、電池のラベルフィルムが摩耗して破損する可能性があり、フィルムが破損した場合は、正極と負極の金属部が外部に露出し、接続リードなどの金属で、電池短絡が起こる可能性もある。このように、繰り返し使用時の電池の外観保護、安全性の面で課題があった。
【先行技術文献】
【特許文献】
【０００８】
【特許文献１】特開２０１３−２０６７７５号公報
【発明の概要】
【発明が解決しようとする課題】
【０００９】
特許文献１のような、発光部と電池収納部を回動させることでオン−オフのスイッチ機能とした、簡易性を追求しながらも電池接点の確実性を持たせた構成の携帯電灯において、さらに、電池外装と機器側接続リード周辺との擦れによる電池損傷を軽減し耐久性と安全性を向上させたものを提供することを目的とする。
【課題を解決するための手段】
【００１０】
前記課題を解決するために、本発明に係る携帯電灯は光源を内蔵した発光部と電池収納部を回動自在に嵌合し、前記光源に接続された正極及び負極の接続リードを有し、電池収納部には、電池が、前記発光部と電池収納部の回動中心とは離れた位置関係で収納配置され、発光部と電池収納部の回動に応じ、前記正極及び負極の接続リードの少なくとも片方が、収納された電池と導通または不導通となる位置に配置された構成において、接続リードと対面する電池の極平面の回動範囲に、発光部側から電池の極平面に向かって張り出した台状の平面を有し、接続リードと電池が不導通となったとき、電池の極平面の全面或いは一部と、前記台状の平面が接触するように構成し、前記台状の平面の高さは、少なくとも接続リードよりも高くし、台状の平面の接続リード側の終端は、接続リードに向かって高さを下げる傾斜面をなし、発光部と電池収納部の回動に従って、電池が接続リード上と
台状の平面上を往復するとき、電池が前記傾斜面を摺動する構成とし、前記傾斜面の形状は、傾斜面に向かい合う電池の一部外郭が一様に当たる曲面形状とする。
【発明の効果】
【００１１】
本発明によれば、携帯電灯における通常の構成部品である接続リードなどを利用し、携帯電灯の発光部と電池収納部の回動によってスイッチ機能とするので、機器外部にスイッチつまみ等の機構と部品が無く、内部にも切り換えリードなどの特別な部品を必要としないため、構造が簡単で安価である。
【００１２】
そして、発光部において、電池の極平面の全面或いは一部と、台状の平面が接触する構成とすることで、電池の極平面の形状が様々でも、それに対し台状の平面に接することで電池の姿勢を安定した状態に保ち、電池のラベルフィルムの終端がひっかかりめくれることもがない。また、本体の回動に応じた電池と発光部の摺動が、面同士の接触をもって行われ、電池の極平面のある一点に荷重が集中しないため、従来に比べ繰り返し操作時の耐久性に優れる。
【００１３】
さらに望ましくは、前記台状の平面の高さは、少なくとも接続リードよりも高くし、前記台状の平面の接続リード側の終端は、接続リードに向かって高さを下げる傾斜面をなし、
発光部と電池収納部の回動に従って、電池が接続リード上と台状の平面上を往復するとき、電池が前記傾斜面を摺動する構成とし、前記傾斜面の形状は、傾斜面に向かい合う電池の一部外郭が一様に当たる曲面形状とすると、電池と接続リードが導通した状態から、発光部と電池収納部が回動を始めると傾斜面に電池が乗り上げはじめるので、電池がすぐに接点から離れ、電気接点上の摺動が無くなり、電気接点の耐久性が良い。その際に、傾斜面に向かい合う電池の一部外郭は傾斜面の曲面形状に沿って一様に当たるので、電池の一部外郭の範囲のうちある一点に荷重が集中することなく電池に傷がつきにくい。
【図面の簡単な説明】
【００１４】
【図１】本発明の実施の形態１における携帯電灯の外観側面図
【図２】同実施の形態１における携帯電灯の発光部方向から見た正面図
【図３】同実施の形態１における携帯電灯の電池収納部方向から見た背面図
【図４】図２に示すＡ−Ａの方向に見た断面図
【図５】図２に示すＢ−Ｂの方向に見た断面図
【図６】電池収納部を取り外したうえで図４に示す矢視Ｃ方向で、電池収納部の開口面  を見た図
【図７】電池収納部を取り外したうえで図４に示す矢視Ｄ方向で、発光部の開口面を見  た図
【図８】図５に示す矢視Ｅ方向で見て、発光部内の構造を示す部分断面図
【図９】図５におけるＦ−Ｆの位置から見た断面図で、（ａ）は接続リードと単三形電  池が導通したときの発光部と電池収納部の嵌合状態を示した断面図、（ｂ）は接続リー  ドと単四形電池が導通したときの発光部と電池収納部の嵌合状態を示した断面図、（ｃ  ）は接続リードと電池が不導通となったときの発光部と電池収納部の嵌合状態を示した  断面図、（ｄ）は発光部と電池収納部が着脱可能な回動位置を示した断面図
【図１０】図９（ａ）に示す矢視Ｇ方向から見た部分図
【図１１】（ａ）〜（ｃ）正極の極平面の形状の一例を示す図
【図１２】（ａ）〜（ｃ）負極の極平面の形状の一例を示す図
【図１３】本発明の実施の形態２における図９（ａ）〜（ｄ）と同じ方向に見た発光部と電池収納部の嵌合状態を示した部分断面図で、（ａ）は接続リードと単三形電池が導通したときの断面図、（ｂ）は接続リードと単四形電池が導通したときの断面図、（ｃ）は接続リードと電池が不導通となったときの断面図、（ｄ）は発光部と電池収納部が着脱可能な回動位置を示した断面図
【図１４】（ａ）は図１３（ａ）に示す矢視Ｈから見た部分図、（ｂ）は図１３（ｃ）に示す矢視Ｊから見た部分図
【図１５】同実施の形態２における傾斜面の形状の成り立ちを示した斜視図
【図１６】傾斜面とそれに向かい合う電池の一部外郭の位置関係を表した、図１５を部分拡大した斜視図
【発明を実施するための形態】
【００１５】
以下、本発明の実施の形態を、図面を参照して説明する。
【００１６】
（実施の形態１）
図１は本発明の実施の形態１における携帯電灯の外観側面図、図２は同実施の形態１における携帯電灯の発光部方向から見た正面図、図３は同実施の形態１における携帯電灯の電池収納部方向から見た背面図である。また、図４は図２に示すＡ−Ａの方向に見た断面図、図５は図２に示すＢ−Ｂの方向に見た断面図、図６は電池収納部を取り外したうえで図４に示す矢視Ｃ方向で、電池収納部の開口面を見た図である。図７は電池収納部を取り外したうえで図４上に示す矢視Ｄ方向で、発光部の開口面を見た図、図８は図５に示す矢視Ｅ方向で見て、発光部内の構造を示す部分断面図である。
【００１７】
本発明の実施の形態１の携帯電灯は、図１および図４、図５に示すように、前ベース３と透光性のグローブ４で外観を構成した発光部１と、電池ケース５及び外部にハンドル６を一体的に有する電池収納部２とをバヨネット方式で回動自在に嵌合したものである。
【００１８】
発光部１においては、前ベース３の一端に光源のＬＥＤ７とＬＥＤ７の点灯に係る回路基板８を搭載し、ＬＥＤ７の周囲は光拡散を目的とした半透明のＬＥＤカバー９を配し、その上に透光性のグローブ４をかぶせ、前ベース３と一体固定している。図５、図７に示すように、前ベース３の電池収納部２側には、正極接続リード１０と負極接続リード１１を配して、図５、図８に示すようにそれぞれのリード終端は回路基板８まで延伸され接続されている。
【００１９】
電池収納部２には、図４および図６に示すように、単三形電池１２と単四形電池１３（想像線で表示）のそれぞれ１本が、正極の極平面（単三形電池の正極の極平面１２ａ、単四形電池の正極の極平面１３ａと表示）を発光部１側に向けて、発光部１と電池収納部２の回動中心軸１４から外れた位置に配置している。電池円筒の側面は電池ケース５の内部
リブで位置決めされ、電池ケース５の開口部からそれぞれ電池を抜き差し可能としている。本発明を実施するにあたり、電池の種類・本数は問わないが、一例として本実施の形態では、異種サイズの電池、２種類を選択的に使用できる例を説明する。２種類のうち、どちらかの電池を家庭に常備していれば使用できるので災害などの緊急時に便利である。
【００２０】
また、電池収納部２においては、図４、図５、図６に示すように、電池ケース５の奥に連結バネ１５と、回動中心軸１４に沿った位置に中継リード１６が配置され、連結バネ１５と中継リード１６は電池ケース５の奥に、座金付きねじ１７によって共締めされ導通固定されている。単三形電池１２の負極と単四形電池１３の負極が連結バネ１５によって導通しているので、電池ケース５の開口側に位置する中継リード１６の先端に２つの電池の負極が集約された状態である。
【００２１】
図５、図７に示すように、負極接続リード１１は一端を小ねじ１８によって前ベース３に固定され、中継リード１６の先端が接する回動中心軸１４上の部分が撓みを持つようになっており、発光部１と電池収納部２を嵌合した状態で接触圧を一定に確保し続ける。
【００２２】
正極接続リード１０は、図７に示すように、単三形電池用接点１０ａと単四形電池用接点１０ｂの２か所の突起状の接点を持った、Ｃ形状をなしており、発光部１と電池収納部２の回動によって、どちらかの接点上に電池が移動した際に導通し回路基板８に給電されＬＥＤ７が点灯する仕組みである。
【００２３】
次に、発光部１の回動位置と電池の位置について図を用いて説明する。図９（ａ）〜（ｄ）は図５におけるＦ−Ｆの位置から見た断面図で、発光部１と電池収納部２の回動位置によって変わる嵌合状態を示したものである。単三形電池の正極の極平面１２ａと単四形電池の正極の極平面１３ａは、図９（ａ）〜（ｄ）上に想像線で位置を示している。図１に示すように、本体の外観には回動位置の目安となるマークが表示されている。発光部１における前ベース３の側面には、電池が導通していることを表す単三マーク１９、単四マーク２０、そしてどちらの電池とも導通していないことを表すＯＦＦマーク２１が表示されており、電池ケース側面には合いマーク２２が表示されている。
【００２４】
発光部１を手でつかみ、図１方向から見て時計回りに回動すると、単三マーク１９と合いマーク２２が合わさり、本体内部では図９（ａ）に示すように、単三形電池用接点１０ａと単三形電池１２が導通している。
【００２５】
発光部を反時計回りに回動すると単四マーク２０と合いマーク２２が合わさり、本体内部では図９（ｂ）に示すように、単四形電池用接点１０ｂと単四形電池１３が導通している。その中間でＯＦＦマーク２１と合いマーク２２が合わさるときは、本体内部では図９（ｃ）に示すように、どちらの電池も正極接続リード１０とは導通せずＬＥＤ７は消灯する。このように、外観のマークを見ながら容易にスイッチ操作と使用電池の選択ができる。
【００２６】
図４、図９（ａ）〜（ｄ）に示すように、発光部１と電池収納部２のバヨネット嵌合に係る、前ベース３の掛け部２３ａと２３ｂは、前ベース３の外周において広範囲に形成されていて、それに対応する電池ケース５の内壁面の凸部２４ａ、２４ｂは、合いマーク２２が単三マーク１９から単四マーク２０の間にある時は、図９の（ａ）〜（ｃ）の各図のように、掛け部２３ａ、２３ｂに凸部２４ａ、２４ｂが掛かり続け、嵌合状態を維持する。
【００２７】
図１に示すように、前ベース３の外観面にはもう一つ、単四マーク２０の隣にＯＰＥＮマーク２５が表示されている。合いマーク２２がＯＰＥＮマーク２５に合わさったとき、
凸部２４ａ、２４ｂは、掛け部２３ａ、２３ｂから解放され、発光部１と電池収納部２は分離することができる。また嵌めるときは、ＯＰＥＮマーク２５と合いマーク２２の位置を合わせたうえで、発光部１を時計回りに回せばよい。
【００２８】
さて、このようなスイッチ操作に合わせて、実用的には、不用意なスイッチ切り替わりを防ぐため、適当な回動位置で発光部１と電池収納部２の回動制限トルクを持たせる必要がある。
【００２９】
図５、図６および図９（ａ）〜（ｄ）の各断面図で示すように、電池ケース５の内壁から前ベース３の方向に向けて、制限用リブ２６ａ、２６ｂを突出していて、対する前ベース３の内壁の円周上には制限用凸２７ａ、２７ｂ、２７ｃ、２７ｄが設けられている。制限用リブ２６ａ、２６ｂは、発光部１と電池収納部２の回動により、回動中心軸１４を基準に円周上の軌跡を描きながら移動し、前ベース３内壁の円周上に設けられた制限用凸２７ａ〜２７ｄと順々に接触する。制限用リブ２６ａ、２６ｂは、電池ケース５の内側方向への撓み性を持っており、制限用凸２７ａ〜２７ｄと接触した際に、撓みをもって制限用凸２７ａ〜２７ｄを乗り越えることができる。
【００３０】
例えば、図９（ｃ）に示すように、本体外部のＯＦＦマーク２１と合いマーク２２が合わさっているとき、制限用リブ２６ａは、制限用凸２７ａ、２７ｂの間に位置していて、両方向へのスイッチ操作（回動）に対して一定の制限トルクをもって消灯状態を維持する。単三マーク１９と合いマーク２２を合わせるべく発光部１を時計回りに回したとき、制限用リブ２６ａは、制限用凸２７ａを乗り越えて単三形電池が導通状態となる。その際は、図９（ａ）に示した状態となり、前述の掛け部２３ａ、２３ｂの終端壁に電池ケース内側の凸部２４ａ、２４ｂが当たり、それ以上の回動はできなくなる。
【００３１】
また、発光部１を反時計回りに戻し、単四マーク２０と合いマーク２２を合わせたとき、図９（ｂ）に示すように、制限用リブ２６ａは、制限用凸２７ｃに当たり回動が制限される。このとき、ほぼ対角に設けられた制限用リブ２６ｂと制限用凸２７ｄも同時に反時計回りの回動を制限するようにすると、合いマーク２２を単四マーク２０の位置からＯＰＥＮマーク２５の位置に動かす際、１本だけによる回動制限トルクと比較し約２倍となる。単三〜ＯＦＦ〜単四のスイッチ操作の区間より、電池ケースの着脱に係る区間の制限トルクを大きくしておくことで、使用中に不用意に電池ケースが外れることを防ぐ。
【００３２】
以上のようにスイッチ操作を可能にした形態において、図９（ａ）〜（ｄ）に示すように、正極接続リード１０と対面する単三形電池の正極の極平面１２ａと単四形電池の正極の極平面１３ａの回動範囲に、発光部１側から電池の極平面に向かって張り出した台状の平面２８を設けている。
【００３３】
ここでいう電池の極平面とは、電池の正極と負極をつないだ軸線の方向から正極または負極を見た投影面全体のことである。正極の極平面については図１１（ａ）〜（ｃ）に、負極の極平面については図１２（ａ）〜（ｃ）に形状の例を示す。正極の場合は、極平面のほぼ中央に接点用に円筒状の正極凸２９が付いていて、正極凸２９の周囲には電池のラベルフィルム終端３０がある。正極の極平面では正極凸２９が、図１１（ａ）のように１段のものもあり、図１１（ｂ）のように２段になっているものもあるし、図１１（ｃ）のように、極平面の外輪が高く中間が凹んでいるものもある。
【００３４】
負極の場合は、負極の極平面の中央にほぼ平坦な負極金属部３１がありその周囲にラベルフィルム終端３０がある。図１２（ａ）のように極平面全体にほぼ凹凸の無いもの、図１２（ｂ）のように負極金属部３１がへこんでいるものや、図１２（ｃ）のように負極金属部３１が飛び出しているものがある。
【００３５】
なお、すべての場合において、ラベルフィルムの仕上がり状態にばらつきがあり、フィルム同士を重ね合わせた継ぎ目の突起や、収縮不良によるラベルフィルム終端３０の浮き上がりが発生していることがある。
【００３６】
そのような電池の極平面の形状とラベルフィルムの状況に応じ、どの電池でも安定して支える、または、ラベルフィルムなどに傷を付けないために、台状の平面２８は少なくとも極平面における形状の変曲点またはラベルフィルムの終端部をまたぐ範囲をカバーする広さとするのが望ましい。本実施の形態では、単三形電池の正極の極平面１２ａ、単四形電池の正極の極平面１３ａを発光部１に接しているので、正極凸２９が回動していく範囲は台状の平面２８を設けず、正極凸２９の周囲を台状の平面２８で受けるようにしている。図１１（ａ）〜（ｃ）に極平面と台状の平面２８の推奨の接触範囲３２を斜線で示す。また、ラベルフィルム終端３０のめくれ上がりを防ぐため、前述の、図９（ａ）〜（ｄ）に示すすべての回動位置の範囲で台状の平面２８を広く設けることが望ましい。
【００３７】
図１０は、図９（ａ）に示す矢視Ｇ方向から見て、台状の平面２８と単三形電池１２と単三形電池用接点１０ａの位置関係を示した部分図である。このとき台状の平面２８の高さは、単三形電池用接点１０ａの位置より、正極凸２９の出っ張り高さを超えない範囲で少し高めにしておくと、電池を逆挿入された場合に負極は正極接続リード１０に接触しない逆接防止構造となる。単四形電池の傍らにある台状の平面２８も同じ考え方で高さを設計すると良い。
【００３８】
なお、図示はしないが、電池の向きを逆にして負極の極平面を発光部１側に接した構成としても良く、その場合は、正極のように極平面の中央に円筒状の出っ張りは無いので、電池が正極接続リード１０から離れたときに台状の平面２８は負極の極平面の全体を受けても良い。
【００３９】
この構成においては、電池が不導通となったときは、電池の極平面と台状の平面２８が摺動するが、面同士の接触であるため、連結ばね１５からの発光部１方向への押し圧が接触面全体で分散され、極平面のうちある一点に荷重が集中することは無いので電池の外観に傷がつきにくい。
【００４０】
なお、以上に述べたような構成において、電池の極平面と台状の平面２８の摺動からは、発光部１と電池収納部２の回動制限は期待できない。明確な操作感、回動制限を得るために、前述のとおり、電池ケース５内壁の制限用リブ２６ａ、２６ｂと前ベース内壁の制限用凸２７ａ〜２７ｄを利用するなど、電池接点部以外での機構的な工夫を組み合わせることが有効である。
（実施の形態２）
本発明の実施の形態２として、台状の平面２８の正極接続リード１０側の終端に、正極接続リード１０に向かって高さを下げる傾斜面を設けた例を説明する。
【００４１】
図１３（ａ）〜（ｄ）は、実施の形態１において説明した図９（ａ）〜（ｄ）と同じ方向に見た部分断面図であるが、実施の形態１と違う部分を付加し図示したものである。本実施の形態２は、発光部１と電池収納部２の部品構成、回動による電池の移動・スイッチ操作に関しては実施の形態１と共通であるが、発光部において単三形電池用傾斜面３３、単四形電池用傾斜面３４ａ、３４ｂを設けている。図１４（ａ）は、図１３（ａ）に示す矢視Ｈ方向から見た部分図で、図１４（ｂ）は、図１３（ｃ）に示す矢視Ｊ方向から見た部分図である。
【００４２】
図１３（ａ）〜（ｄ）および図１４（ａ）、（ｂ）の各図面において、単三形電池用接
点１０ａの部分に注目して詳しい構成を説明する。単三形電池用傾斜面３３は単三形電池１２の回動ルートに沿い、単三形電池用接点１０ａの方向に向けて台状の平面２８から高さを下げながら形成されている。
【００４３】
図１３（ａ）の位置に単三形電池が有る場合は、単三形電池は連結ばね１５の荷重を受けながら単三形電池用接点１０ａに乗っていて導通している。その位置より発光部１を反時計回りに回動させ、図１３（ｃ）の位置に電池を動かそうとした場合、単三形電池用傾斜面３３と向かい合う電池の一部外郭（ここでは、単三形電池の正極の極平面１２ａの輪郭）が単三形電池用傾斜面３３に当たり、傾斜面に電池が乗り上げながら移動する。単三形電池１２の移動のしかたを図１４（ａ）上に想像線と矢印で示す。
【００４４】
単三形電池１２が単三形電池用傾斜面３３に乗り上げはじめると、直ちに単三形電池１２の正極凸２９と単三形電池用接点１０ａが離れ、不導通となる。接点が直ぐに離れることで、接点の金属同士の擦れが無いため、接点の汚れや酸化被膜の形成が起きにくく、接点の耐久性が上がる。
【００４５】
電池の一部外郭（ここでは単三形電池の正極の極平面１２ａの輪郭）が確実に単三形電池用傾斜面３３に接するよう、少なくとも台状の平面２８の高さは、図１４（ａ）に示すように、単三形電池用接点１０ａの位置よりも、電池の正極凸２９の高さ分以上に高く設定する必要がある。その後、単三形電池１２が図１３（ｃ）に示す位置まで移動したときは、単三形電池の正極の極平面１２ａは、図１４（ｂ）に示すように単三形電池用傾斜面３３の先につながった台状の平面２８の上に乗り、ＬＥＤ７は消灯状態で安定に保持される。
【００４６】
なお、単三形電池用傾斜面３３を下ったところにある接点周囲面３５は、本実施の形態では単三形電池用接点１０ａの位置よりもわずかに高く設定している。そうすると間違えて電池を逆挿入された場合にも負極は単三形電池用接点１０ａに接触しない逆接防止構造となる。
【００４７】
単四形電池１３の周辺部分についても同じ考え方で単四形電池用傾斜面３４ａ、３４ｂが設けられている。今回の構成では、単四形電池１３は、単四形電池用接点１０ｂを起点として、図１３（ｃ）と図１３（ｄ）に示す両位置へ移動する必要性があるので、両側に単四形電池用傾斜面３４ａ、３４ｂを設けている。
【００４８】
本発明の、傾斜面に向かい合う電池の一部外郭が一様に当たる曲面形状の一例を単三形電池１２の部分で説明する。図１５は、同実施の形態２における傾斜面の形状の成り立ちを示した斜視図で、前ベース３の開口部から見た図になっている。単三形電池１２は、発光部１と電池収納部２の回動によって回動中心軸１４を中心に円軌跡を描き、かつ、台状の平面２８の上から単三形電池用接点１０ａまで高さを下げながら移動しなければならない。  つまり、図１５に示すらせん状の移動軌跡３６をもって電池を移動させる。
【００４９】
本実施の形態２の単三形電池用傾斜面３３は、図１５に示すように、台状の平面２８に極平面を接する単三形電池１２Ｘを、らせん状の移動軌跡３６に従って、単三形電池用接点１０ａに接する単三形電池１２Ｙの位置まで移動させたときに、極平面の輪郭によって描かれる連続した曲面とした。
【００５０】
図１６は、図１５を部分拡大したもので、傾斜面とそれに向かい合う電池の一部外郭の位置関係を斜視図で示したものである。図１６に、単三形電池の一部外郭３７を太破線にて示す。単三形電池の一部外郭３７は、単三形電池用傾斜面の上端３３Ｘから単三形電池用傾斜面の下端３３Ｙまでどの位置に接しても同じ線状の接触帯をなして一様に接する。
一様に接することで、単三形電池の一部外郭３７の線状の接触帯に連結ばね１５の荷重が分散され、ある一点に荷重が集中することがないので電池の外観に傷がつきにくい。
【００５１】
最後に、実施の形態１及び実施の形態２における外観形状は、このような構成の携帯電灯において、複数の電池を横並びに配置することで電池ケース５が太く・短くなり持ちにくいことをかんがみて、図１〜図４に示すようなハンドル６を外部に取り付けてもよい。本実施の形態１では、電池ケース５の外観にスリットを設けて、スリットにハンドル６を挿しこんだ形態としている。ハンドル６は電池ケース５と一体的に固定されるので、ハンドル６に片方の手をかけたまま、もう片方の手で発光部１をつかみ回転させることができる。また、図示はしないが、逆にハンドルを発光部１に一体的に属するようにして、電池収納部２を回動させるようにしてもよい。
【００５２】
このように、ハンドルによって握り部分を細く作ると、手の小さい子供でも本体を持ちやすいので安全である。また、両手で荷物を抱えながら使用する際でも、荷物と手の間でハンドルの握り部を挟み込んで使用できる。
【００５３】
なお、電池ケースの外観を図３の方向から見えるようなひょうたん形にすると、使用者が電池収納部を外し、図６のように電池ケース開口部を見た際に、異種電池のそれぞれの入れ場所が直感的に判断できるので入れ間違いを防ぐことができる。
【００５４】
以上に述べたように、発光部と電池収納部を回動させることでオン−オフのスイッチ機能とし簡易性を追求した構成において、従来の課題を解決し、電池接点周辺での電池外装の傷つきを軽減し耐久性と安全性を向上させた携帯電灯を提供できる。
【産業上の利用可能性】
【００５５】
本発明にかかる携帯電灯は、安価な構成でありながら、点灯の確実性、スイッチの耐久性や電池の安全性、異種電池の利用にも考慮したもので、災害などの有事への備えに大いに役立つ。また、また、携帯電灯だけでなく、光源をモーターなどに置き換えることで電池応用機器全般に活用することができる。
【符号の説明】
【００５６】
１    発光部
２    電池収納部
３    前ベース
４    グローブ
５    電池ケース
６    ハンドル
７    ＬＥＤ
８    回路基板
９    ＬＥＤカバー
１０    正極接続リード
１０ａ  単三形電池用接点
１０ｂ  単四形電池用接点
１１    負極接続リード
１２    単三形電池
１２ａ  単三形電池の正極の極平面
１２Ｘ  台状の平面２８に極平面を接する単三形電池
１２Ｙ  単三形電池用接点１０ａに接する単三形電池
１３    単四形電池
１３ａ  単四形電池の正極の極平面
１４    回動中心軸
１５    連結バネ
１６    中継リード
１７    座金付きねじ
１８    小ねじ
１９    単三マーク
２０    単四マーク
２１    ＯＦＦマーク
２２    合いマーク
２３ａ  掛け部
２４ａ、凸部
２５    ＯＰＥＮマーク
２６ａ、２６ｂ  制限用リブ
２７ａ、２７ｃ、２７ｄ  制限用凸
２８    台状の平面
２９    正極凸
３０    ラベルフィルム終端
３１    負極金属部
３２    推奨の接触範囲
３３    単三形電池用傾斜面
３３Ｘ  単三形電池用傾斜面の上端
３３Ｙ  単三形電池用傾斜面の下端
３４ａ  単四形電池用傾斜面
３５    接点周囲面
３６    らせん状の移動軌跡
３７    単三形電池の一部外郭
【図１】
0006706755.tif 000002
【図２】
0006706755.tif 000003
【図３】
0006706755.tif 000004
【図４】
0006706755.tif 000005
【図５】
0006706755.tif 000006
【図６】
0006706755.tif 000007
【図７】
0006706755.tif 000008
【図８】
0006706755.tif 000009
【図９】
0006706755.tif 000010
【図１０】
0006706755.tif 000011
【図１１】
0006706755.tif 000012
【図１２】
0006706755.tif 000013
【図１３】
0006706755.tif 000014
【図１４】
0006706755.tif 000015
【図１５】
0006706755.tif 000016
【図１６】
0006706755.tif 000017